(57)【要約】【課題】開口部に使用する扉・開き戸・蓋等の可動体に使用するちょう番が、開口部と可動体の間に完全に格納することにより突出部をなくし、見栄え低下や安全性または回転部から軸を抜くと羽根板が外れる防犯性等の問題を解決する。【解決手段】端部に形成した管部に軸を通し複数の羽根板を回動自在に接続した構成に於いて、一方の羽根板１２の板面１３に平行な隙間を保って案内板２１を重ね合わせるように配置し、蓋２の開閉操作の際に羽根板と案内板の間に内蔵した可動機構３１が働くと、羽根板と案内板の相対的な位置関係を変更することにより、回転部１９が格納位置から迫り出して蓋に必要な開角度を付与する構造のちょう番１１とした。【選択図】図１
2007100399.tif 000002
【特許請求の範囲】
【請求項１】
端部に形成した管部に軸を通し羽根板を回動自在に接続する構成に於いて、
一方の羽根板（１２，１２Ａ）に平行な隙間を保って案内板（２１）を重なるように配置し、羽根板（１２，１２Ａ）と案内板（２１）との間に可動機構（３１）を内蔵して、開閉操作の際に前記可動機構が働くと羽根板（１２，１２Ａ）と案内板（２１）の相対的な位置関係を変更するちょう番。
【請求項２】
羽根板（１２，１２Ａ）と案内板（２１）との間に内蔵する可動機構（３１）が、羽根板（１２，１２Ａ）の面（１３，１３Ａ）に貫通する案内溝（１４，１４Ａ）を設け案内板（２１）面に案内材（２６）を取付けて両者を組合せた請求項１に記載のちょう番。
【請求項３】
羽根板（１２，１２Ａ）に設ける案内溝（１４，１４Ａ）の数が少なくとも一箇所である請求項１か２に記載のちょう番。
【請求項４】
案内溝（１４，１４Ａ）と案内材（２６）を組合せ、案内溝（１４，１４Ａ）内を案内材（２６）が転動もしくは摺動する構成とした請求項１から３の何れかに記載のちょう番。
【請求項５】
直線状の案内溝（１４）の方向が羽根板（１２）の回転部（１９）の軸芯（２０）方向と直交する請求項１から４の何れかに記載のちょう番。
【請求項６】
直線状の案内溝（１４Ａ）の方向が羽根板（１２Ａ）の回転部（１９）の軸芯（２０）方向と斜交する請求項１から４の何れかに記載のちょう番。
【請求項７】
羽根板（１２，１２Ａ，１７，１７Ａ）の縦横の長さ比を２〜１８の範囲から選択した請求項１から６の何れかに記載のちょう番。
【請求項８】
端部に形成した管部に軸を通し羽根板を回動自在に接続する構成に於いて、
一方の羽根板（１２，１２Ａ）に平行な隙間を保持って、案内板（２１）を重なるように配置し、羽根板（１２，１２Ａ）と案内板（２１）の間に案内溝（１４，１４Ａ）と案内材（２６）からなる可動機構（３１）を内蔵し、開閉操作の際に可動機構（３１）が働くと羽根板（１２，１２Ａ）と案内板（２１）の相対的な位置関係を変更すると共に、開閉の何れかの操作側に要する力を可動材（２，５）の自重が軽減するように働くちょう番の使用方法。
【発明の詳細な説明】
【技術分野】
【０００１】
本発明は、開口部周囲の枠と可動体（建具・窓・蓋等を指す）の間に、両者を接続する開閉金具を完全に格納するために、開閉時の可動体の動きに合わせ枠側の羽根板が枠に対して移動する可動機構を内蔵し、所要の開閉角度を確保するちょう番とその使用方法に関するものである。
【背景技術】
【０００２】
人と物の出入りを主とする構築物の開口部や物の出入りを主とする家具や容器の開口部には。枠と可動体及び開閉金具からなる開閉装置を開口部に装着する。開閉装置を動かす基本構造には回転型と直線型がある。回転型は可動体の辺を軸にして、大凡０〜１８０°の範囲から選択した開閉角度で動く。直線型は枠内の軌道を可動体が往復する構造で車輪や駆動装置を使うこともある。
【０００３】
回転型の開閉金具には多くの種類があるが、人と物の出入りを主とする構築物の開口部に装着する可動体を開閉させる目的には、二枚の羽根板の両端を、軸を介して回動自在に接続した構造のちょう番を使用する。本ちょう番には、軸を除かないと羽根板が外れない特許文献１と特許文献２が示すような左右の羽根板が対称構造の型式と軸を除かなくても羽根板が外れる非対称構造の型式の二つがある。何れも取付けの際に軸部分が枠と可動体の表面から突出するので開閉角度は９０°以上にとることができる。
【０００４】
二つの構造の内、前者はイーブン型、後者は旗型とも呼ばれる。前者の場合、開口部と可動体に開閉金具を装着する際に双方の取付位置が、予め正確に加工されて現場加工を要しない場合は問題が起こることは少ないが、開口部と可動体の何れかもしくは双方の取付位置を現場加工に頼る場合は、取付位置の微調整を必要とするため特定方向の調整機能を内蔵したものがある。特許文献１は、調整機能はないが羽根板に防犯機能が付いており、特許文献２は前後方向の調整機能を内蔵する。尚、後者には特許文献３のように上下・左右・前後の三方向を対象にした調整機能を内蔵するものがある。
【特許文献１】特許公開２００３−６４９３２号公報
【特許文献２】特許公開２００１−１８２４１９号公報
【特許文献３】特許公開２００１−２７１５４９号公報
【発明の開示】
【発明が解決しようとする課題】
【０００５】
回転型のちょう番を使用する際は、開口部の利用度を吟味して開閉角度を決める必要がある。開閉角度はちょう番の回転部中心と可動体表面の位置関係で決まり、離れて突出した状態では９０°を超え、表面近くで９０°に近づき、表面以下では９０°を割り込む。通常、開口部全体を利用するため回転部を突出させるので、見栄え低下や突出部の安全性または回転部から軸を抜くと羽根板が外れる防犯性等が問題になることがある。この問題に関して、特許文献１の羽根板が抜けないちょう番では防犯に関してのみ効果がある。特許文献２の一方向調整機能付きちょう番ならびに特許文献３の三方向調整機能付き旗型ちょう番は、何れも取付け時の枠と扉の位置関係の微調整が目的で前記諸問題の解決には全く寄与しない。
【０００６】
前記問題は一見すると、ちょう番を枠と可動体の間に完全に格納すれば解決できそうに思えるが、現用のちょう番の大きさは縦横比が小さく枠と可動体の厚みを考えると完全に格納することは不可能である。また、格納したとしてもちょう番の回転部中心の位置によっては、開口部の利用度の低下という条件が付くため、現実味を著しく欠く用法ということになる。本発明は上記問題を解決するため縦横比が大きく枠と可動体の間に完全に格納できて開閉角度も損なわないちょう番を提供する。
【課題を解決するための手段】
【０００７】
本発明は、端部に形成した管部に軸を通し羽根板を回動自在に接続する構成に於いて、
一方の羽根板に平行な隙間を保って案内板を重なるように配置し、羽根板と案内板との間に可動機構を内蔵して、開閉操作の際に前記可動機構が働くと羽根板と案内板の相対的な位置関係を変更するちょう番であり、
端部に形成した管部に軸を通し羽根板を回動自在に接続する構成に於いて、
一方の羽根板に平行な隙間を保持って、案内板を重なるように配置し、羽根板と案内板の間に案内溝と案内材からなる可動機構を内蔵し、開閉操作の際に可動機構が働くと羽根板と案内板の相対的な位置関係を変更すると共に、開閉の何れかの操作側に要する力を可動材の自重が軽減するように働くちょう番の使用方法である。
【発明の効果】
【０００８】
本発明のちょう番とその使用方法は、長細い形状の羽根板を使用し、開口部に設置した可動体の動きに合わせ、羽根板自身が移動する可動機構を羽根板の一つに内蔵させたので、可動体表面にちょう番の一部分と雖も突出することがなく、ちょう番の開閉角度への影響なしに全体を可動体と開口部の間に完全に格納することができた。この結果、見栄え低下や突出部の安全性もしくは回転部から軸を抜くと羽根板が外れる防犯性という諸問題の全てを解決した。
【０００９】
羽根板を移動するための可動機構には、開閉操作の際に必要な操作力を減らすように可動体の自重が作用する構造を採り入れたので、可動体の開閉操作の円滑さを向上させることができた。また、開口部を覆うように複数の開き戸を付けるサイドボードのような家具で使用するスライドヒンジと呼ぶリンク内蔵型で特殊形状のちょう番や隠しちょう番に代えて本発明のちょう番を使用することもできた。
【発明を実施するための最良の形態】
【００１０】
開口部に装着する可動体が必要とする開角度は大凡９０〜１８０°の範囲にある。開口部を最大限に有効利用しようとするならば、少なくとも１８０°あることが望ましい。本発明のちょう番は、羽根板を軸を介して回動自在に接続するために形成される回転部が可動体表面からの突出をしないようにするため、羽根板の縦横比を大きく採り長細い形状にして開口部周囲の枠と可動体の間に完全に格納した。通常、可動体の厚みは４０ｍｍ前後の場合が多いので、羽根板の縦横（高さＨと幅Ｗ）比はちょう番の用途と可動体の厚み等を勘案し、第１段階２〜１８、第２段階４〜１６、第３段階６〜１２の各範囲の何れかから選択する。
【００１１】
可動体に必要な開閉角度を確保するため、ちょう番の一方の羽根板面に貫通する少なくとも一箇所の案内溝を形成し、前記羽根板に案内材を取付けた案内板を平行に向き合わす。両板の間隔はちょう番の縦横比と羽根板の厚み等を勘案して選定する。前記案内溝と前記案内材とを組合せて可動機構を構成し、案内溝付き羽根板に案内溝の長手方向の力を加えると、羽根板が案内溝を介して案内材に誘導され案内板に沿い移動するようにした。
【００１２】
可動体に必要な開閉角度は、可動体の開操作の初期から最終の段階に至る間で、ちょう番を装着した可動体全体が開方向に格納位置から移動しながら開けばよいので、可動体側の羽根を直接固定し、枠側の羽根板を可動機構を介して間接固定した。この構成により、可動体が動くと可動機構が動いて開口部側の案内溝付き羽根板を回転部の方向に移動する。従って、羽根板面の案内溝の長孔には移動距離相当分に等しい長さが採られている。
【００１３】
案内溝の長孔方向を回転部の軸芯と直交するように形成すると、羽根板は案内板に対して平行を保ちながら一方向に直線移動する。また、案内溝の長孔を前記軸芯と斜交するように形成すると、羽根板は案内板に対して平行を保ちながら斜め方向に直線移動し、傾斜から生まれる移動分に相当する方向にも可動体の位置ずれが発生する。案内溝の方向と形状は開口部の方向と同部に装着する可動体の動きで決めればよい。
【００１４】
可動体が開操作を始め開口部に対して大凡９０°開くまでは、可動体側の羽根板だけが軸回りに動けばよく案内溝付き羽根板が移動する必要はない。前記角度を越えるとちょう番の回転部に近い可動体の一部が開口部の周囲の枠に当接して可動体の動きが枠側の干渉を受けるようになるので、該干渉から前記当接箇所を起点とする梃子作用が生まれ、同作用から得られる力が案内溝付き羽根板を引き出す方向に働くので、案内溝付き羽根板は案内板の案内材に誘導されて迫り出す。
【００１５】
開操作を完了した可動体を閉操作に移行する場合、可動体が開口部に対して大凡９０°の閉状態まで復帰した時、案内溝付き羽根板に可動体の自重が働くような可動機構を取付けるとちょう番の閉操作力を軽減する効果が得られる。例えば、可動体を上向き開口部に付けた場合には案内溝方向を下向きに設定し、可動体を横向きの開口部に付ける扉のような場合は案内溝に角度を付けて傾斜させると前記効果が得られる。
【００１６】
可動機構を内蔵するちょう番の場合、大きさと形状が似通う二枚の羽根板を軸を介して回動自在に接続するイーブン型と呼ばれるちょう番では、羽根板の端に形成した管部を交互に重ねて接続部するため、羽根板に掛かる作用力が各管部に分散され、縦横比の大きい羽根板も支障な使用できるが、羽根板の管部が接続と回転を兼ねて軸の上下に分かれる旗型と呼ばれるちょう番では作用力が偏るため縦横比を小さくして使用することが望ましい。
【実施例１】
【００１７】
図１（Ａ，Ｂ）は、一方の羽根板面に直線状の案内溝を付けたちょう番の取付状態の正面図と上面図である。図２（Ａ，Ｂ）は、図１（Ａ）の左側の羽根板のａ−ａ線と右側の羽根板のｂ−ｂ線に沿う断面図である。図３、は図１の分解斜視図と取付要領を兼ねた斜視図である。図４（Ａ，Ｂ）は、案内用のスペーサーを拡大した正面図と側面図である。図５（Ａ，Ｂ，Ｃ，Ｄ）は、取付状態のちょう番の開閉前後と中間の主要４態の断面図を示した。枠と蓋は何れも仮想線で表示した。
【００１８】
図１（Ａ，Ｂ）は、長細い羽根板を使用したちょう番１１で部材構成を図３に示した。右側の羽根板１２の面１３には軸芯２０と直角に交差する方向に４本の長孔状の案内溝１４を付けた構造で、上向き開口部を持つ床下収納庫（図示せず）に使用した。左側の羽根板１７を蓋３に固定し、右側の案内溝付き羽根板を開口部の枠１に固定したＬ字状に折曲げた案内板２１と平行に向き合わせ、案内溝にスペーサー２６（案内材）を組合せて案内板に取付ける。
【００１９】
図２（Ａ）の左側の羽根板１７は蓋２に直接固定するが、図２（Ｂ）の右側の羽根板１２は開口部の枠１面から浮いた状態にある。即ち、開口部の枠にはＬ字状の案内板２１を固定し、案内溝１４とスペーサー２６で構成する可動機構３１を介して右側の羽根板と案内板を接続する。従って、右側の羽根板は案内溝の長孔方向に移動することができる。図４（Ａ，Ｂ）のスペーサーは外側鍔２７が案内溝外縁１５を抑え内側段部２９が案内板を押さえ、接触面２８の幅が羽根板の移動通路を形成する。スペーサーの役割は案内溝の中を軽く転動もしくは摺動する他、羽根板が案内板から外れぬようにする。
【００２０】
収納庫には回転部１９を水平にしてちょう番１１を取付けるので、蓋３を閉じると二枚の羽根板１２，１７は下向きに折畳まれる。図５（Ａ，Ｂ，Ｃ，Ｄ）によりちょう番の動作を説明する。開口部側の枠１の二面を覆うようＬ字状の案内板２１を被せ孔２４を利用してねじ３２で止め、案内板を長孔状の案内溝１４付き羽根板１２で覆い、案内溝にスペーサー２６を挿入してスペーサーの転動もしくは摺動を妨げぬように案内板の通し孔２５と軸孔３０を介して枠にねじ３２止めする。他方の羽根板１７は孔１８を利用して蓋に直接ねじ３２止めする。
【００２１】
図５（Ａ）は蓋３を閉じて枠１の表面２と蓋の表面４が面一になった時で、ちょう番１１で回転部１９の軸芯２０を枠の表面以下の距離ｍに保持した状態である。図５（Ｂ）は、蓋の開角度９７．４°の時に蓋の表面が案内板２１の内側のＬ字の折曲部２３にｘ点で蓋の厚み方向に線状（図示なし）で当接して停止した状態を示し、この時点では回転部の中心までの距離ｍには変化はない。この状態から図５（Ｃ）に移行を始めると前記ｘ点は移動しながら梃子作用の支点を務め続け、案内溝１４付き羽根板１２が移動する力を生みだす。
【００２２】
５（Ｂ）から蓋２が更に開くと、回転部１９の軸芯２０は枠１の表面３に近づいてｍ１となり、案内溝１４付き羽根板１２はｍ−ｍ１だけ引き上げられ図５（Ｃ）の状態になる。前記ｘ点は最初の位置からｙ点に移動する。図５（Ｃ）から蓋を更に開いて案内溝付き羽根板を充分に引き出すと、案内板に対する蓋の線状の接触は消滅して面状に移行して梃子作用はなくなり案内溝付き羽根板の移動は停止する。図５（Ｄ）の状態で回転部の軸芯は枠の表面からｍ２の高さに突出し、案内溝付き羽根板はｍ＋ｍ２引き上げられて所要の開角度に達して開操作は完了する。
【００２３】
閉操作は図５（Ａ）から始めて図５（Ｄ）に戻る開操作の逆を辿ればよい。閉操作を図５（Ｄ）に加えると図５（Ｃ）に戻る過程で、蓋２は回転軸１９の軸芯２０の回りに旋回して閉じ始め、蓋の自重から生まれる垂直方向分力の寄与が始まり、案内溝１４付き羽根板１２は原位置に向かって動き始め．図５（Ｂ）で案内溝付き羽根板は原位置に復帰する。蓋の自重の影響は図５（Ｃ）から図５（Ｂ）の間で有効に作用して閉操作に要する力の軽減に役立つので、図５（Ｂ）から図５（Ａ）には格別に力を加えなくても容易に戻ることができる。
【００２４】
ちょう番１１は蓋２と開口部周囲の枠１との間で挟み隠すように取付ける場合に、羽根板１２，１７の表面積は蓋厚みと開口部の枠の奥行きの影響を受けるので、本例の縦横比は１０として長細い形状にした。また、ちょう番の軸方向の高さを大きく採り案内溝１４同士の間隔を広く採り、案内溝とスペーサー２６の間の動きが円滑になるようにした。案内溝の数を四本としたが縦横比により増減すればよい。
【００２５】
ちょう番１１を付けた床下収納庫の蓋を閉じた時、表面にちょう番の一部と雖も飛び出すことがなく安全性の高いバリヤーフリーに最適な形状を提供することができた。また、大小を問わずちょう番を蓋と枠面に張り付ける露出型のように外観を損なうこともない。閉操作時には蓋の自重が閉操作を助けるので閉め易くなる効果もある。軸の長いちょう番を使うため開閉操作の安定性もよく、取付手間も案内板２１のＬ字形状が位置決めに役立つので取付作業も容易にした。
【実施例２】
【００２６】
図６は一方の羽根板面に直線状で傾斜した案内溝を付けたちょう番の取付状態の正面図である。図７は図６の分解斜視図を兼ねた取付要領の斜視図である。図８（Ａ，Ｂ）は扉と傾斜案内溝の関係を示す側面図である。
【００２７】
図６は開口部の枠１Ａと扉５の間に使用した羽根板１２Ａの面１３Ａの案内溝１４Ａに角度αなる傾斜を付けたちょう番１１Ａで部材構成を図７に示した。案内溝に角度を付けると開閉操作の際に、扉の開閉の何れか側で扉の自重の一部を役立て開閉の操作力をセーブするという効果が得られる。例えば、案内溝の傾斜角度α及び案内溝とスペーサー２６の間の摩擦力を調整し、扉の閉操作側に扉の自重が作用するようにちょう番を取付けると特定の区間で扉を自動的に閉めることも可能になる。尚、案内溝の形状を除くと実施例１の図１（Ｂ）の上面図と図２（Ａ，Ｂ）の左右の羽根板の断面図及び図４の案内用のスペーサーの拡大断面図の外観は同じなので同図と説明を引用する。
【００２８】
扉に取付けたちょう番１１Ａは回転部１９が垂直を保持するので扉を閉じると二枚の羽根板１２Ａ，１７は横向きに折畳まれる。ちょう番の動きを、図８（Ａ，Ｂ）を使用して説明するが、取付状態のちょう番の各断面図と説明は実施例１の図５（Ａ，Ｂ，Ｃ，Ｄ）を引用する。図８（Ａ）は図５（Ｂ）の上面図を矢印方向の側面図に直した状態に相当し、本段階では案内溝付き羽根板に上下方向の移動はない。図８（Ｂ）は図５（Ｄ）の上面図を矢印方向の側面図に直した開操作の完了状態に相当し、この段階では案内溝付き羽根板が上方向に移動するので実施例１の動きとは相違する。
【００２９】
図８（Ａ）から図８（Ｂ）に水平距離Ｉ移動する間に扉５は案内溝１４Ａの傾斜から生まれる高さｓ迫り上る。この動きのために扉を図５（Ｂ）から図５（Ｄ）に至る開操作で扉を該高さに挙げる力が余分に必要になるが、実施例１と同様の梃子作用による力が利用できるので支障を来すことはない。閉操作の時に図５（Ｄ）から図５（Ｂ）に至る間で扉の自重から生まれる案内溝の傾斜方向の分力が寄与するので必要な力は小さくなる。但し、図５（Ｄ）の状態の儘で扉が１８０°閉まると図８（Ｂ）に示す高さｓが吸収されないので、扉の上かまちが開口部の上枠に当り閉操作が完了しなくなる。従って、傾斜角度αと摩擦力のバランスには充分な考慮が払われる。蓋の自重が操作に寄与する時期は案内溝の形状で調整することができる。
【産業上の利用可能性】
【００３０】
本発明のちょう番の用途として床下収納庫の蓋と建物の扉を挙げたが、開閉操作の課程で突出部分をなくして外観の向上ないしは安全性を高めることが目的の物件には充分に適用ができる。例えば、開き戸を多く使う食器棚・本棚・サイドボード等の家具、建物の回転窓の他に、安全性が求められる設備用機器の点検孔等の開閉金具にも使用することができる。
【図面の簡単な説明】
【００３１】
【図１】（Ａ，Ｂ）は一方の羽根板面に直線状の案内溝を付けた取付状態のちょう番の正面図と上面図である。（実施例１）
【図２】（Ａ，Ｂ）は図１（Ａ）の左側の羽根板のａ−ａ線と右側の羽根板のｂ−ｂ線に沿う断面図である。
【図３】図１の分解斜視図と取付要領を兼ねた斜視図である。
【図４】（Ａ，Ｂ）は案内用のスペーサーを拡大した正面図と側面図である。
【図５】（Ａ，Ｂ，Ｃ，Ｄ）は取付状態のちょう番の開閉前後と中間の主要４態の断面図を示した。
【図６】一方の羽根板に直線状で傾斜した案内溝を付けた取付状態のちょう番の正面図である。（実施例２）
【図７】図６の分解斜視図を兼ねた取付要領の斜視図である。
【図８】（Ａ，Ｂ）は扉と傾斜案内溝の関係を示す側面図である。
【符号の説明】
【００３２】
１，１Ａ        枠
２              蓋
５              扉
１１，１１Ａ    ちょう番
１２，１２Ａ    羽根板
１３，１３Ａ    板面
１４，１４Ａ    案内溝
１７            羽根板
１９            回転部
２６            スペーサー
３１            可動機構
【図１】
2007100399.tif 000003
【図２】
2007100399.tif 000004
【図３】
2007100399.tif 000005
【図４】
2007100399.tif 000006
【図５】
2007100399.tif 000007
【図６】
2007100399.tif 000008
【図７】
2007100399.tif 000009
【図８】
2007100399.tif 000010